【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
セマンティックネットワークを利用するコンピュータネットワーク実施システムであって、前記システムは、プロセッサとメモリを有する１つ以上のネットワークされたコンピュータ装置のコンピュータネットワークを含み、
ａ）セマンティックネットワークを提供するデータ構造を格納する少なくとも１つのコンピュータ装置と、
ｂ）前記コンピュータネットワーク内に展開された、前記コンピュータネットワーク内の１つ以上のプロセッサ上で実行され、前記セマンティックネットワークとインターラクトする複数のコンピュータ実施エージェントと、
ｃ）複数のユーザのうちの少なくとも第１のユーザに前記セマンティックネットワークを少なくとも生成又は修正させるように構成されたユーザインタフェースとを有し、
ｄ）前記エージェントは、最初に展開されると、明示的な命令を受け取らなくても、前記セマンティックネットワークを読み取り、修正するように構成され、
前記エージェントは、
１）前記複数のコンピュータ実施エージェントのうちの第１のエージェントであって、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行するように構成された、前記第１のエージェントによる修正は、前記第１のユーザの、前記セマンティックネットワークの生成または修正とは異なる、前記第１のエージェントと、
２）前記複数のコンピュータ実施エージェントのうちの第２のエージェントであって、前記セマンティックネットワークを読み出し、前記セマンティックネットワークに基づく前記動作を実行するステップを含む動作を実行するように構成された、前記第２のエージェントにより実行される動作は前記第１のエージェントにより実行される動作とは異なる、前記第２のエージェントと、
を有し、
ｅ）前記複数のエージェントのうち少なくとも２つは明示的にまたは黙示的に互いに協働する、
システム。
【請求項２】
前記セマンティックネットワークの修正は、前記セマンティックネットワークの変更、編集、改変、増強、追加、又は削除を含む、請求項１に記載のシステム。
【請求項３】
前記エージェントは、ハーベストエージェント、データマイニングエージェント、サーチエージェント、接続エージェント、パーソナルエージェント、又はショッピングエージェントのうちの少なくとも１つを含む、請求項１に記載のシステム。
【請求項４】
前記システムは、前記複数のエージェントのうちの少なくとも１つのエージェントを前記複数のユーザのうちの少なくとも一ユーザに選択させるように構成された、請求項１に記載のシステム。
【請求項５】
前記ユーザインタフェースはグラフィカルユーザインタフェースである、請求項１に記載のシステム。
【請求項６】
前記ユーザインタフェースはさらにマインドマッピングソフトウェア又はオントロジービルダソフトウェアを含む、請求項５に記載のシステム。
【請求項７】
前記ユーザインタフェースは、前記ユーザが変更する値、エントリーを追加するオプション、エントリーを削除するオプションを提示する、請求項５に記載のシステム。
【請求項８】
前記値又はエントリーは、カーソル、マウスポインタ、又はキーボードによるユーザ選択により修正可能である、請求項７に記載のシステム。
【請求項９】
エントリーを追加するオプションは、前記セマンティックネットワークに追加するために前記ユーザに提示される合成概念を含む、請求項８に記載のシステム。
【請求項１０】
前記エージェントの少なくとも１つは、前記セマンティックネットワークに概念を合成する、請求項１に記載のシステム。
【請求項１１】
前記セマンティックネットワークは、それぞれ異なる概念を表す少なくとも２つのノードと、２つの異なる概念間のセマンティックな関係を表す少なくとも１つのエッジとを含む、請求項１に記載のシステム。
【請求項１２】
前記概念の少なくとも１つはユーザの好みに基づき重み付けされ、
前記エッジの少なくとも１つは前記セマンティックな関係の強さに基づき重み付けされ、又は
少なくとも一以上の結果は前記ユーザの嗜好に基づいた順序で前記ユーザに送られる、
請求項１１に記載のシステム。
【請求項１３】
前記複数のエージェントのうちの第１のエージェントは、前記セマンティックネットワーク中の値を変更し、エントリーを追加又は削除する、請求項１に記載のシステム。
【請求項１４】
前記複数のエージェントのうちの第２のエージェントは、前記エントリーの前記変更された値、追加、又は削除に応じて動作する、請求項１３に記載のシステム。
【請求項１５】
前記複数のユーザのうちの他の一ユーザにより生成された前記複数のエージェントのうちの少なくとも１つに、前記複数のユーザのうちの一ユーザが、報告タスクを割り当てた時に料金が課金される、請求項１に記載のシステム。
【請求項１６】
コンピュータネットワーク中の非一時的コンピュータ読み取り可能媒体にセマンティックネットワークを設ける段階と、
前記コンピュータネットワーク中に展開され、前記セマンティックネットワークとインターラクションする複数のコンピュータ実施されたエージェントを設ける段階であって、前記エージェントは、明示的な命令を受けなくても、集合的に、前記セマンティックネットワークを読み取り、修正するように構成された段階と、
複数のユーザのうちの少なくとも第１のユーザに前記セマンティックネットワークを生成または修正させるように構成されたユーザインタフェースを設ける段階とを有し、
前記複数のコンピュータ実施エージェントのうちの第１のエージェントは、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行し、前記第１のエージェントによる修正は、前記第１のユーザの、前記セマンティックネットワークの生成または修正とは異なり、
前記複数のコンピュータ実施エージェントのうちの第２のエージェントであって、前記セマンティックネットワークを読み出し、前記セマンティックネットワークに基づく前記動作を実行するステップを含む動作を実行し、前記第２のエージェントにより実行される動作は前記第１のエージェントにより実行される動作とは異り、
前記複数のエージェントのうち少なくとも２つは明示的にまたは黙示的に互いに協働する、
方法。
【請求項１７】
セマンティックネットワークに対するユーザとエージェントの動作をデカップリングする方法であって、
コンピュータネットワーク中の非一時的コンピュータ読み取り可能媒体に編集可能なセマンティックネットワークを有する情報交換プラットフォームを設ける段階と、
前記コンピュータネットワーク中に展開され、前記セマンティックネットワークとインターラクションする複数のコンピュータ実施されたエージェントを設ける段階であって、前記エージェントは、集合的に、前記セマンティックネットワークを自律的に読み取り、修正するように構成された段階と、
複数のユーザのうちの少なくとも第１のユーザに前記セマンティックネットワークに関する報告を受け取り、又は修正させるように構成されたユーザインタフェースを設ける段階とを有し、
前記複数のコンピュータ実施エージェントのうちの第１のエージェントは、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行し、前記第１のエージェントによる修正は、前記第１のユーザの、前記セマンティックネットワークの生成または修正とは異なり、
前記複数のコンピュータ実施エージェントのうちの第２のエージェントは、前記セマンティックネットワークを読み出し、前記セマンティックネットワークに基づく前記動作を実行するステップを含む動作を実行し、前記第２のエージェントにより実行される動作は前記第１のエージェントにより実行される動作とは異り、
前記複数のエージェントのうち少なくとも２つは明示的にまたは黙示的に互いに協働する、
方法。
【請求項１８】
コンピュータネットワークの複数のユーザのうちの少なくとも第１のユーザに、セマンティックネットワーク構築ツールと、前記コンピュータネットワーク中に展開可能であり前記ツールを用いて前記第１のユーザに構築されたセマンティックネットワークとインターラクションする複数のコンピュータ実施されたエージェントとを利用可能にする段階であって、前記エージェントは、集合的に、その初期展開の後に明示的な命令を受けなくても、前記セマンティックネットワークを読み出し、修正するように構成された段階を有し、
前記複数のコンピュータ実施エージェントのうちの第１のエージェントは、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行し、前記第１のエージェントによる修正は、前記第１のユーザの、前記セマンティックネットワークの生成または修正とは異り、
前記複数のコンピュータ実施エージェントのうちの第２のエージェントは、前記セマンティックネットワークを読み出し、前記セマンティックネットワークに基づく前記動作を実行するステップを含む動作を実行し、前記第２のエージェントにより実行される動作は前記第１のエージェントにより実行される動作とは異り、
前記複数のエージェントのうち少なくとも２つは明示的にまたは黙示的に互いに協働する、
方法。
【請求項１９】
さらに、前記複数のユーザのうちの一ユーザに前記セマンティックネットワークを修正させるように構成されたユーザインタフェースを設ける段階を有する、請求項１８に記載の方法。
【請求項２０】
非一時的コンピュータ読み取り可能媒体にセマンティックネットワークが化体された、コンピュータネットワーク中に複数のコンピュータ実施されたエージェントを複数のユーザのうちの第１のユーザに展開させるように構成されたオンライン施設を設ける段階であって、少なくとも１つのエージェントは、前記セマンティックネットワークを読み出し、少なくとも１つのエージェントは、明示的な命令を受けなくても、前記セマンティックネットワークを修正する段階を有し、
前記複数のコンピュータ実施エージェントのうちの第１のエージェントは、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行し、前記第１のエージェントによる修正は、前記複数のユーザのどのユーザによる、前記セマンティックネットワークの生成または修正とは異り、
前記複数のコンピュータ実施エージェントのうちの第２のエージェントは、前記セマンティックネットワークを読み出し、前記セマンティックネットワークに基づく前記動作を実行するステップを含む動作を実行し、前記第２のエージェントにより実行される動作は前記第１のエージェントにより実行される動作とは異り、
前記複数のエージェントのうち少なくとも２つは明示的にまたは黙示的に互いに協働する、
方法。
【請求項２１】
さらに、前記複数のユーザのうちの少なくとも一ユーザに前記セマンティックネットワークを修正させるように構成されたユーザインタフェースを設ける段階を有する、請求項２０に記載の方法。
【請求項２２】
１つ以上のエージェントが前記複数のユーザのうちの少なくとも一ユーザに結果を送信する、請求項２１に記載の方法。
【請求項２３】
セマンティックネットワークに対するユーザとエージェントの動作をデカップリングする方法であって、
コンピュータネットワーク中の非一時的コンピュータ読み取り可能媒体にインスタンス化された編集可能セマンティックネットワークを有する情報交換プラットフォーム、又はコンピュータネットワーク中の非一時的コンピュータ読み取り可能媒体にインスタンス化された編集可能セマンティックネットワークを複数のユーザのうちの少なくとも第１のユーザに修正及び／または生成させるツールを設ける段階と、
前記複数のユーザのうちの前記第１のユーザ及び／または第２のユーザのうち少なくとも一方に、前記コンピュータネットワーク中に、前記セマンティックネットワークとインターラクションする複数のコンピュータ実施されたエージェントを展開するように構成された施設を設ける段階であって、前記エージェントは、集合的に、前記セマンティックネットワークを自律的に読み取り、修正するように構成された段階を有し、
前記複数のコンピュータ実施エージェントのうちの第１のエージェントは、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行し、前記第１のエージェントによる修正は、前記第１のユーザの、前記セマンティックネットワークの生成または修正とは異り、
前記複数のコンピュータ実施エージェントのうちの第２のエージェントは、前記セマンティックネットワークを読み出し、前記セマンティックネットワークに基づく前記動作を実行するステップを含む動作を実行し、前記第２のエージェントにより実行される動作は前記第１のエージェントにより実行される動作とは異り、
前記複数のエージェントのうち少なくとも２つは明示的にまたは黙示的に互いに協働する、
方法。
【請求項２４】
さらに、前記複数のユーザのうちの少なくとも一ユーザに前記セマンティックネットワークに関する報告を受け取り、又は修正させるように構成されたユーザインタフェースを設ける段階とを有する、請求項２３に記載の方法。
【請求項２５】
少なくとも１つの前記エージェントは、前記セマンティックネットワークを、他のセマンティックネットワークとの接続により、又は前記ネットワークの外部ソースからの情報により、選択的に増強するように構成された、請求項１６ないし２４いずれか一項に記載の方法。
【請求項２６】
前記ネットワークの外部ソースは他のセマンティックネットワークである、請求項２５に記載の方法。
【請求項２７】
複数のコンピュータ実行可能命令をエンコードされた少なくとも１つの非一時的コンピュータ読み取り可能媒体であって、
セマンティックネットワークを含むデータ構造を提供するように構成されたセマンティックネットワークモジュールと、
複数のコンピュータ実施されたエージェントと前記セマンティックネットワークとの間のインターラクションをさせるように構成されたエージェントインタフェースモジュールと、
ユーザインタフェースを介して、複数のユーザのうちの第１のユーザによる前記セマンティックネットワークの修正をさせるように構成されるユーザ編集モジュールとを有し、
前記複数のコンピュータ実施エージェントのうちの第１のエージェントは、前記複数のユーザのうちの第２のユーザ及び／または前記第１のユーザの少なくとも一方の振る舞いに基づく入力を受け取り、前記入力を適用して前記セマンティックネットワークを修正するステップを含む動作を実行するように構成され、前記第１のエージェントによる修正は、前記第１のユーザの、前記セマンティックネットワークの生成または修正とは異なり、
前記複数のコンピュータ実施エージェントのうちの第２のエージェントは、前記セマンティックネットワークを読み出し、前記セマンティックネットワークに基づく前記動作を実行するステップを含む動作を実行するように構成され、前記第２のエージェントにより実行される動作は前記第１のエージェントにより実行される動作とは異なり、
前記複数のエージェントのうち少なくとも２つは明示的にまたは黙示的に互いに協働する、
媒体。
【請求項２８】
前記命令は、さらに、実行されると、前記ユーザにデータの出力を行い、前記出力は前記複数のエージェントの１つの機能に基づく、請求項２７に記載の少なくとも１つのコンピュータ読み取り可能媒体。